(57)【要約】【課題】  打球時の接地抵抗を最小限とし、且つ方向安定性に優れたウッド型ゴルフクラブヘッド及びこれを用いたウッド型ゴルフクラブを提供する。【解決手段】  ウッド型ゴルフクラブヘッドのソール面３が、フェース２側に位置する略平面のソール前方部分１２と、このソール前方部分１２よりもバック側に位置する略平面のソール後方部分１３とを有している。そして、所定のライ角及びロフト角で水平面上に載置した基準状態のヘッドのフェース中心点を通る鉛直面での断面視において、ソール前方部分１２とフェース中心点Ｃでの接線とのなす角度Ａと、ソール後方部分１３とフェース中心点Ｃでの接線とのなす角度Ｂとの差（Ａ−Ｂ）が５度以上２０度以下である。また、ソール前方部分１２及びソール後方部分１３のトウ・ヒール方向幅Ｗ３，Ｗ４は、フェース中心点Ｃを通る鉛直面からトウ側及びヒール側にそれぞれ１０ｍｍ以上とされている。【選択図】      図１
2005168998.tif 000002
【特許請求の範囲】
【請求項１】
リアルロフト角が１２度以上２７度以下のウッド型ゴルフクラブヘッドであって、
そのソール面は、フェース側に位置する略平面のソール前方部分と、このソール前方部分よりもバック側に位置する略平面のソール後方部分とを有しており、
所定のライ角及びロフト角で水平面上に載置した基準状態のヘッドのフェース中心点を通る鉛直面での断面視において、前記ソール前方部分と前記フェース中心点での接線とのなす角度Ａと、前記ソール後方部分と前記フェース中心点での接線とのなす角度Ｂとの差（Ａ−Ｂ）が５度以上２０度以下であるとともに、
前記ソール前方部分及び前記ソール後方部分のトウ・ヒール方向幅は、前記フェース中心点を通る鉛直面からトウ側及びヒール側にそれぞれ１０ｍｍ以上とされていることを特徴とするウッド型ゴルフクラブヘッド。
【請求項２】
前記ソール前方部分のフェース・バック方向の幅をＷ１とし、前記ソール後方部分のフェース・バック方向の幅をＷ２としたとき、（Ｗ２／Ｗ１）が１．５以上１５．０以下となることを特徴とする請求項１に記載のウッド型ゴルフクラブヘッド。
【請求項３】
フェースのトウ・ヒール方向幅であるフェース長をＬａとし、前記ソール前方部分のトウ・ヒール方向幅をＷ３としたとき、（Ｗ３／Ｌａ）が０．２以上０．６以下であることを特徴とする請求項１または２のいずれかに記載のウッド型ゴルフクラブヘッド
【請求項４】
請求項１〜３のいずれかに記載のウッド型ゴルフクラブヘッドを備えたことを特徴とするウッド型ゴルフクラブ。
【発明の詳細な説明】
【技術分野】
【０００１】
本発明は、ソール形状が工夫されたウッド型ゴルフクラブヘッド及びこれを備えたウッド型ゴルフクラブに関するものである。
【背景技術】
【０００２】
リアルロフト角が１２度〜２７度のウッド型ゴルフクラブ（以下、単にウッド型クラブなどともいう）は、いわゆるフェアウエイウッドやユーティリティクラブなどとして、（ティーアップされていない）芝生上に接地した状態のボールを打球するのに主として使用される。したがって、打球時には、ヘッドのソール面が地面と接触する場合がほとんどであり、かかる接地時の特性がクラブの重要な評価要素となる。この場合特に、ショット時の接地抵抗を低減することが重要特性とされる。
【０００３】
かかる観点から、ソール形状を工夫したウッド型ゴルフクラブが提案されている。
特許文献１には、ソール幅（ソールのフェース・バック方向幅）をヘッド幅（ヘッドのフェース・バック方向幅）の半分以下としたウッド型ゴルフクラブヘッドが記載されている。ここでは、ヘッド幅に対してソール幅を狭くすることにより、接地抵抗を少なくするとしている（特許文献１参照。）。
特許文献２には、フェース・バック方向に延びる突起部をソールに設けるとともに、この突起部を凹状としたウッド型ゴルフクラブヘッドが記載されている。このようにすると、ソールの跳ね返り作用によりヘッドが地面に突込むのが防止されるとしている（特許文献２参照。）。
特許文献３には、ヘッド本体を８〜１５度後方に傾けてヘッド本体を正面から見た重心の下方のソール稜線が、重心を中心とした凸状且つ円弧状に形成されているウッド型ゴルフクラブヘッドが記載されている。このようにすると、接地点はスイングによらず円弧状突起内となるので、接地点がトウ側となったりヒール側となったりしてフェースの向きが変動せず、ダフった時のフェース向きの変化を抑制できるとしている。
【特許文献１】特開平４−１９７２７５号公報（請求項１、第１図、第２図）
【特許文献２】特開平１１−４７３１６号公報（請求項１、第１図〜第３図）
【特許文献３】特開２０００−１０７３３１号公報（請求項１、第２図〜第４図）
【発明の開示】
【発明が解決しようとする課題】
【０００４】
特許文献１のようにソール幅を狭くしたり、特許文献３のように凸曲面で接地させたりした場合、接地面積が過度に小さくなることにより接地圧が大きくなり、接地抵抗が高くなるという問題があった。特許文献２のようにソールに突起を設けた場合や更には該突起を凹状とした場合もやはり接地面積が過度に小さくなり、接地圧が大きくなるという問題があった。
また、接地面積が過度に小さくなると、該接地時におけるヘッドの姿勢が不安定となり、フェースの向きが変化しやくなり打球方向性が悪くなるという問題もあった。
【０００５】
本発明は、かかる状況に鑑みてなされたものであり、打球時の接地抵抗を最小限とし、且つ打球の方向安定性に優れたウッド型ゴルフクラブヘッド及びこれを用いたウッド型ゴルフクラブを提供することを目的としている。
【課題を解決するための手段】
【０００６】
本発明のウッド型ゴルフクラブヘッドは、リアルロフト角が１２度以上２７度以下であって、そのソール面は、フェース側に位置する略平面のソール前方部分と、このソール前方部分よりもバック側に位置する略平面のソール後方部分とを有しており、所定のライ角及びロフト角で水平面上に載置した基準状態のヘッドのフェース中心点を通る鉛直面での断面視において、前記ソール前方部分と前記フェース中心点での接線とのなす角度Ａと、前記ソール後方部分と前記フェース中心点での接線とのなす角度Ｂとの差（Ａ−Ｂ）が５度以上２０度以下であるとともに、前記ソール前方部分及び前記ソール後方部分のトウ・ヒール方向幅は、前記フェース中心点を通る鉛直面からトウ側及びヒール側にそれぞれ１０ｍｍ以上とされていることを特徴とする。
【０００７】
このようにすると、ソール前方部分及びソール後方部分が略平面であるから、接地面積が過度に狭くならず接地圧が比較的低くなる。しかも、角度差（Ａ−Ｂ）が所定範囲に設定されているので、スイング時のヘッド軌道に近いソール形状となり接地抵抗が減少する。また、角度差（Ａ−Ｂ）が２０度以下であるので、ソール前方部分とソール前方部分とのなす角度が鋭角となってソールが過度に突出した形状となることがない。そのためソールが接地面に引っかかりにくくなる。そして、ソール前方部分及びソール後方部分はトウ側及びヒール側にそれぞれ１０ｍｍ以上の幅とされているので、前述したソール前方部分及びソール後方部分を設けることによる効果が充分に発揮されるトウ・ヒール方向幅が確保される。
なお、「略平面」とは、当該面内の全ての点における曲率半径（主曲率の曲率半径の最小値）が１００ｍｍ以上の面のことをいう。
【０００８】
かかるウッド型ゴルフクラブヘッドにおいては、前記ソール前方部分のフェース・バック方向の幅をＷ１とし、前記ソール後方部分のフェース・バック方向の幅をＷ２としたとき、（Ｗ２／Ｗ１）が１．５以上１５．０以下とするのが好ましい。
この場合、Ｗ１がＷ２に対して比較的小さく、ヘッドが地面に対して入射する段階において主として接地するソール前方部分の幅Ｗ１が比較的小さくなるので、ソール前方部分が過度に広くならず接地抵抗が少なくなる。また、（Ｗ２／Ｗ１）に上限を設定することにより、Ｗ１がＷ２に対して過度に狭くなることが無く、ソール前方部分とソール後方部分とを設けた前記効果が充分に奏される。
なお、幅Ｗ１及びＷ２は、所定のライ角及びロフト角で水平面上に載置した基準状態のフェース中心点を通る鉛直面での断面視におけるソール前方部分及びソール後方部分の長さとする。
【０００９】
また、フェースのトウ・ヒール方向幅であるフェース長をＬａとし、ソール前方部分のトウ・ヒール方向幅をＷ３としたとき、（Ｗ３／Ｌａ）を０．２以上０．６以下とするのが好ましい。（Ｗ３／Ｌａ）が大きすぎるとＬａがＷ３に対して過度に小さくなりソール前方部分を設けたことによる本発明の効果が少なくなる。また（Ｗ３／Ｌａ）が小さくなりすぎるとＬａがＷ３に対して過度に大きくなり、ヘッドが地面に入射する際にソール前方部分のヒール側が地面に引っかかりやすくなり方向性が悪くなる。しかし、（Ｗ３／Ｌａ）を所定範囲とすることによりこれらの欠点が最小限に抑えられる。
【発明の効果】
【００１０】
本発明によれば、ソール前方部分及びソール後方部分の形状及び角度を最適に設定したので、ヘッドの軌道に近いソール形状となり、ショット時の接地抵抗が抑えられる。また、略平面にて接地するため、ヘッドの姿勢が安定し打球の方向安定性が高まる。
【発明を実施するための最良の形態】
【００１１】
以下に、本発明の実施形態を図面を参照しつつ説明する。
ウッド型ゴルフクラブヘッド１はリアルロフト角が１２度〜２７度であり、いわゆるフェアウエイウッドあるいはユーティリティクラブヘッドなどと呼ばれるウッド型ヘッドである。
図２は、本発明の一実施形態に係るウッド型ゴルフクラブヘッド（以下、単にヘッドなどともいう）１をフェース面２側からみた正面図であり、図３はトウ側から見たウッド型ゴルフクラブヘッド１の側面図である。図２及び図３に示すように、このウッド型ゴルフクラブヘッド１は、打球するための面であるフェース面２と、このフェース面２からリーディングエッジ６を介してヘッド１の後方（バック側）に延びヘッド１の底面を構成するソール面３と、フェース面２からトップライン２５を介してヘッド１の後方（バック側）に延びヘッド１の上面を構成するクラウン５と、クラウン５とソール面３との間に延びてフェース面２以外の部分を構成するサイド面２７と、ヘッド１のヒール側から延びゴルフクラブシャフトを挿入するためのシャフト穴をその内部に備えたホーゼル４と、を有する。このウッド型ゴルフクラブヘッド１は、ホーゼル４にシャフト２６（仮想線で示す）の一端側を取付け、シャフト５の他端側には図示されないグリップを装着することによりゴルフクラブとして使用される。
【００１２】
ヘッド１のフェース面２は、バルジ及びロールを有する曲面とされるとともに、トウ・ヒール方向に延びる溝であるフェースライン７が複数本設けられている。また、図２に示すように、フェース面２の中心（図心）がフェース中心点Ｃである。
なお、フェース面２が曲面の場合においては、ヘッド１の重心と、該重心からフェース面２におろした垂線とフェース面２との交点（いわゆるスイートスポット）とを結ぶ線（図示しない）に垂直な平面（図示しない）にフェース面２を投影した投影図（図示しない）においてフェース中心点Ｃを定めるものとする。
【００１３】
図１は、ヘッド１をソール面３側から見た底面図である。また図４はヘッド１の断面図であり、詳細には、この図４は、所定のライ角及びロフト角で水平面上に載置した基準状態のヘッド１のフェース中心点Ｃを通る鉛直面（図示しない）での断面図である。
図１及び図４に示すように、ヘッド１のソール面３は、フェース・バック方向の中間位置に、略トウ・ヒール方向に延びる稜線１１を有するとともに、フェース側に位置する略平面のソール前方部分１２と、前記稜線１１を挟んでソール前方部分１２よりもバック側に位置する略平面のソール後方部分１３とを有する。ソール前方部分１２及びソール後方部分１３はそれぞれ図２において破線ハッチングで示す領域である。図１では、分かりやすい図とするため稜線１１を一本線で明確に示しているが、実際には稜線１１は明確に角が立っているわけではなく、若干の丸み（アール）を有している。これらソール前方部分１２とソール後方部分１３とは稜線１１を介して実質的に段差なく連続している。そして、ソール面３において、ソール前方部分１２及びソール後方部分１３とこれら１２，１３以外の部分とは、実質的に段差なく滑らかに連続した凸曲面又は平面を構成している。
【００１４】
ソール前方部分１２及びソール後方部分１３は、ソール面３のトウ・ヒール方向略中央に位置し、且つ、これらソール前方部分１２及びソール後方部分１３のトウ・ヒール方向幅Ｗ３、Ｗ４は、フェース中心点Ｃを通る鉛直面ＰＬとソール面３との交線からトウ側及びヒール側にそれぞれ１０ｍｍ以上とされている。ここで鉛直面ＰＬとは、所定のライ角及びロフト角で水平面上に載置した基準状態のヘッド１のフェース中心点Ｃを通る鉛直面である。そして、ソール前方部分１２及びソール後方部分１３のトウ・ヒール方向幅Ｗ３,Ｗ４は、この鉛直面ＰＬとソール面３との交線からトウ側に１０ｍｍ（図１のｄ１）以上で且つヒール側に１０ｍｍ（図１のｄ２）以上とされている。なお、ソール前方部分１２のトウ・ヒール方向幅Ｗ３及びソール後方部分１３のトウ・ヒール方向幅Ｗ４は、それぞれ各部１２，１３におけるトウ・ヒール方向の最大幅であるが、好ましくは、ソール前方部分１２及びソール後方部分１３のトウ・ヒール方向最小幅が、この鉛直面ＰＬとソール面３との交線からトウ側に１０ｍｍ以上で且つヒール側に１０ｍｍ以上とされていると、ソール前方部分１２及びソール後方部分１３の範囲がより広くなり本発明の効果が高まるので好ましい。
【００１５】
また、図１に示すように、本実施形態では、ソール前方部分１２は、前述した鉛直面ＰＬからトウ側及びヒール側に各１０ｍｍの線Ｌ１，Ｌ２と、稜線１１と、リーディングエッジ６とにより区画される領域のほぼ全体を占めており、且つ、ソール後方部分１３は、前記線Ｌ１，Ｌ２と、稜線１１と、トレーリングエッジ９とにより区画される領域のほぼ全体を占めている。ただし、リーディングエッジ６、トレーリングエッジ９及び稜線１１の近傍においてはソール前方部分１２及びソール後方部分１３でない（曲率半径の小さな）部分が存在している。
【００１６】
図４の断面視において、ソール前方部分１２（の延長線）とフェース中心点Ｃにおけるフェース面２の接線とのなす角度を角度Ａとし、ソール後方部分１３（の延長線）とフェース中心点Ｃにおけるフェース面２の接線とのなす角度を角度Ｂとするとき、角度差（Ａ−Ｂ）が５度以上２０度以下となっている。
また、図４に示すように、ソール前方部分１２のフェース・バック方向の幅Ｗ１と、前記ソール後方部分のフェース・バック方向の幅Ｗ２とを比較すると、Ｗ１よりもＷ２が大とされており、更には（Ｗ２／Ｗ１）が１．５以上１５．０以下に設定されている。
【００１７】
また、図２に示すように、フェース面２のトウ・ヒール方向幅であるフェース長Ｌａと前記したソール前方部分１２のトウ・ヒール方向幅Ｗ３との比（Ｗ３／Ｌａ）は０．２以上０．６以下とされている。ここで、フェース長Ｌａとは、所定のライ角及びロフト角で水平面上に載置した基準状態のヘッド１におけるフェース面２と、フェース中心点Ｃを通る水平面との交線の長さをいう。なお、フェース長Ｌａを確定するにあたり、フェース面２の境界が不明確である場合には、当該境界を次のように定めうる。即ち、フェース中心点Ｃを通る水平面とヘッド１の外面との交線において、フェース中心点Ｃ側から当該交線の曲率半径を順次みた場合に、曲率半径が５０ｍｍ以下となる最初の点をフェース面２の境界としうる。
【００１８】
以上のように構成されたウッド型ゴルフクラブヘッド１は、ゴルフクラブとして使用された場合に以下のような作用効果を奏する。
ソール前方部分１２及びソール後方部分１３は略平面であるから、ソールが球面（ラウンドソール）やソールに突起がある場合など、ソールの接地面が点状あるいは線状である場合と比較して、打球時における接地面積が過度に狭くならない。よって、接地圧が比較的低くなって接地抵抗が減少し、抜けが良くなる。
また、ソール前方部分１２及びソール後方部分１３が、前記フェース中心点Ｃを通る鉛直面ＰＬからトウ側及びヒール側に１０ｍｍ以上の範囲に亘って広がっているため、これら各部分１２，１３を設ける効果が十分に得られる。
【００１９】
また、上記角度差（Ａ−Ｂ）が５度以上２０度以下に設定されているので、スイング時のヘッド軌道に近いソール形状となり接地抵抗が減少する。つまり、スイング軌道の略最下点まではソール前方部分１２がスイング軌道に略沿った向きとなるので、当該ソール前方部分１２によりヘッド１は地面上を滑りやすくなる。また、スイング軌道の最下点を通過した後はソール後方部分１３がスイング軌道に略沿った向きとなるので、当該ソール後方部分１３によりヘッド１が地面上を滑りやすくなる。
さらに、ヘッド１は略平面のソール前方部分１２またはソール後方部分１３にて接地する。よって、突起部等で接地している場合と比較してヘッドの姿勢が安定するから、フェースの向きも安定し、打球方向性が良好となる。
【００２０】
また、角度差（Ａ−Ｂ）が２０度以下であるので、ソール前方部分とソール後方部分とのなす角度が鋭角となってソールが過度に突出した形状となることがない。そのためソールが接地面に引っかかることがない。また過度に突出した形状によりヘッド重心が高くなることがなく低重心化が達成され飛距離向上にも寄与する。このような理由から、この角度差（Ａ−Ｂ）は後述の各上限値との関係において７度以上が好ましく、１０度以上がより好ましい。また同理由で、前記各下限値との関係において１８度以下が好ましく、１５度以下がより好ましい。
【００２１】
なお、ソール前方部分１２又はソール後方部分１３が平面でない場合、角度Ａは、図４の断面視におけるソール前方部分１２の両端点を結ぶ直線とフェース中心点Ｃにおける接線とのなす角とすし、角度Ｂは、図４の断面視におけるソール後方部分１３の両端点を結ぶ直線とフェース中心点Ｃにおける接線とのなす角とする。
【００２２】
また、ソール前方部分１２の幅Ｗ１がソール後方部分１３の幅Ｗ２に比較して小さく、更には（Ｗ２／Ｗ１）が１．５以上とされている。したがって、ヘッドが地面に対して入射する段階において主として接地するソール前方部分の幅Ｗ１が比較的小さくなり、入射時の接地面積が過度に広くなりすぎることがないので、この入射時における接地抵抗が少なくなる。
【００２３】
また、（Ｗ２／Ｗ１）が１５．０以下であるため、Ｗ１がＷ２に対して過度に狭くなることがない。よって、接地圧が高くなりすぎず、入射時におけるソールの滑りが確保でき、かつ、ソール形状がスイング軌道に近いものとなる。
【００２４】
上述の理由により、（Ｗ２／Ｗ１）は、後述の各上限値との関係において１．５以上とするのが好ましく、さらには１．７以上が好ましく、より好ましくは２．０以上がよい。また上述の理由により、前記各下限値との関係において１５．０以下が好ましく、更には１２．０以下が好ましく、より好ましくは１０．０以下がよい。
なお、リアルロフト角の互いに異なる上記ウッド型ゴルフクラブヘッド１そなえた複数本のウッド型ゴルフクラブセットの場合、（Ｗ２／Ｗ１）は、リアルロフト角が大きいほど小さくするのが好ましい。リアルロフト角の大きなクラブほどクラブ長さが短くされてヘッド軌道が比較的鋭角（ダウンブロー）となる傾向にあるので、Ｗ１をＷ２に対して大きくすることにより、セット内各クラブのソール形状がスイング軌道に対してより一層沿いやすくなるからである。
【００２５】
また、Ｗ１及びＷ２は、フェース中心点Ｃを通る鉛直面ＰＬにおけるソール前方部分１２及びソール後方部分１３の幅であるが、これに対して、この鉛直面ＰＬからトウ側１０ｍｍで且つ鉛直面ＰＬと平行な線Ｌ１上における各部１２，１３の幅Ｗ１ｔ,Ｗ２ｔ（図示省略）の比（Ｗ２ｔ／Ｗ１ｔ）、及び、鉛直面ＰＬからヒール側１０ｍｍで且つ鉛直面ＰＬと平行な線Ｌ２上における各部１２，１３の幅Ｗ１ｈ,Ｗ２ｈの比（Ｗ２ｈ／Ｗ１ｈ）を考える。この場合、（Ｗ２ｔ／Ｗ１ｔ）及び（Ｗ２ｈ／Ｗ１ｈ）を、（Ｗ２／Ｗ１）と同じ前記数値範囲とすると、ソール面３のトウ・ヒール方向のより広い範囲でかかる数値限定（ソール前方部分１２とソール後方部分１３とのトウ・ヒール方向幅の比の数値限定）の効果が得られるのでより好ましい。
【００２６】
また、フェースのトウ・ヒール方向幅であるフェース長をＬａとし、ソール前方部分のトウ・ヒール方向幅をＷ３としたとき、（Ｗ３／Ｌａ）を０．２以上０．６以下としている。（Ｗ３／Ｌａ）が大きすぎるとＬａがＷ３に対して過度に小さくなりソール前方部分を設けたことによる本発明の効果が少なくなる。よって（Ｗ３／Ｌａ）は後述の各下限値との関係において０．５５以下がより好ましく、０．５以下が更に好ましい。
また（Ｗ３／Ｌａ）が小さくなりすぎるとＬａがＷ３に対して過度に大きくなり、ヘッドが地面に入射する際にソール前方部分のヒール側が地面に引っかかりやすくなり方向性が悪くなる。よって（Ｗ３／Ｌａ）は前述の各上限値との関係において０．２５以上がより好ましく、０．３０以上が更に好ましい。
【００２７】
ヘッド１では、ソール前方部分１２及びソール後方部分１３を略平面としているが、その作用効果は次の通りである。
まず、ソール前方部分１２及びソール後方部分１３を略平面とすることによって、ヘッド１が地面に対して略平面で当接するので、非平面で当接した場合と比較して接地抵抗の分布が均等化される。そうすると、接地抵抗がトウ・ヒール方向で不均一に分布してヘッドが回転しヘッドの向きが不安定となるということが比較的起こりにくい。さらに、地面に対して略平面で当接するためヘッド１の姿勢が比較的安定する。そうすると、ヘッドのぶれが生じにくくなり、打球の方向安定性が低下しない。よって、各部１２，１３が略平面であることにより、打球の方向安定性が高まる。
なお、稜線１１がフェース中心点Ｃにおけるフェース面２の接平面と略平行であると、接地した際にフェース面２が目標方向に向きやすくなり、打球方向性が更に良好となり好ましい。
【００２８】
（実施例）
以下に、本発明の実施例１〜６を作製し、別途作製した比較例１〜２と比較する試験を行った。全ての実施例及び比較例は、同一形状の５番ウッド（Ｗ＃５）のヘッドとし、リアルロフト角を１８度とし、ヘッド重量は２２２ｇとした。また、全ての実施例及び比較例は、ステンレス（ＳＵＳ６３０）を用いてロストワックス精密鍛造法により作製した。即ち、ヘッドのクラウン部分及び該クラウン部分以外の部分であるヘッド本体とを別々に鋳造作製した後、これらを溶接し、さらに研磨等を施して作製した。
また、全ての実施例及び比較例に共通のシャフト及びグリップを装着して、１０名のテスターが実打を行い、ヘッドの抜けの良さと打球方向性の２項目について１０段階評価した。結果が良好なものほど高い評価点数（最高評価は１０）とし、結果が悪いものほど低い評価点数（最低評価は１）とした。そして、１０名のテスターの評価点数の平均点数を各例の評価点数とした。よって、ヘッドの抜けの良さについては、点数が高いほどヘッドの抜けが良好というフィーリングが得られることを意味し、打球方向性については、点数が高いほど打球の方向性が良くコントロールし易いことを意味する。
【００２９】
また全ての実施例及び比較例において、ソール前方部分１２及びソール後方部分１３はそれぞれ図１に示すような略矩形の領域とされ、且つ各部分１２，１３のトウ・ヒール方向幅Ｗ３，Ｗ４はいずれも１５ｍｍとした。さらに、全ての実施例及び比較例において、ソール前方部分１２は、前記線Ｌ１，Ｌ２と、稜線１１と、リーディングエッジ６とにより区画される領域のほぼ全体を占める範囲を含み、且つ、ソール後方部分１３は、前記線Ｌ１，Ｌ２と、稜線１１と、トレーリングエッジ９により区画される領域のほぼ全体を占める範囲を含む構成とした。
各実施例及び比較例のヘッド仕様と評価結果をまとめたのが表１である。この表１における角度Ａ等の各記号の意味は、上述した通りの意味である。
この表１の結果から分かるように、抜けの良さと打球方向性とのいずれに関しても、実施例１〜６は、比較例１〜２に対して優位性のある結果となっている。
【００３０】
【表１】
2005168998.tif 000003
【００３１】
なお、ソール前方部分１２は、前述した鉛直面ＰＬからトウ側及びヒール側に各１０ｍｍの線Ｌ１，Ｌ２と、稜線１１と、リーディングエッジ６とにより区画される領域のうち８０％以上の面積を占めるのが好ましく、更には１００％を占めるのがより好ましい。同様に、ソール後方部分１３は、前記線Ｌ１，Ｌ２と、稜線１１と、トレーリングエッジ９とにより区画され領域の８０％以上の面積を占めるのが好ましく、更には１００％を占めるのがより好ましい。このようにすると、ソール前方部分１２及びソール後方部分１３の面積が充分に確保され、これらを設けたことによる上記効果が充分に奏される。
【００３２】
本発明のウッド型ゴルフクラブヘッドでは、ソール幅ＷＳ（図４参照）が３５ｍｍより大きいのが好ましく、さらには４０ｍｍ以上とされるのがより好ましい。ソール幅ＷＳが小さすぎるとソール前方部分１２及びソール後方部分１３の面積が小さくなる傾向となり、本発明の効果が少なくなる。ソール幅ＷＳが大きすぎると、スイングにおける最下点後の局面においてソール面３の後方部分が地面に当たって接地抵抗が大きくなることがあるので、８０ｍｍ以下が好ましく、更には７０ｍｍ以下がより好ましい。
なお、ソール幅ＷＳとは、図４の前記断面視におけるソール面３のフェース・バック方向（前記基準状態のヘッドに対する水平面と平行な方向）の長さとする。この場合、ソール面３とフェース面２とを区切る稜線の頂点位置（即ちリーディングエッジ６）、及び、ソール面３とサイド面２７のバック側とを区切る稜線の頂点位置（即ちトレーリングエッジ９）がソール幅ＷＳの測定点となる。角が丸くされる等によりこれら稜線の頂点位置が不明確である場合には、図４の前記断面視において、ソール面３中央側からソール面３外縁に向かってソール面３の断面線の曲率半径を順次見た場合に、当該曲率半径が５０ｍｍ以下となる最初の点をソール面３の境界としうる。
これに関連し、ソール面３の範囲を確定する境界線が不明確である場合には、次のようにしてソール面３の範囲を定める。即ち、前記基準状態のヘッドの、フェース中心点Ｃを通る鉛直面及びこれと平行な鉛直面での断面視において、ソール面３の曲率半径をその内側から外側に向かって順次みた場合に、曲率半径が５０ｍｍ以下となる最初の点をソール面３の境界とする。
【００３３】
さらに、本発明では、図４の断面視において、当該断面に投影されたシャフト穴軸線Ｚとソール前方部分１２とのなす角度αは４０度以上が好ましく、５０度以上がよりこのましい。また、この角度αは９０度以下が好ましく、８５度以下がより好ましい。また、図４の断面視において、当該断面に投影されたシャフト穴軸線Ｚとソール後方部分１３とのなす角度βは６０度以上が好ましく、７０度以上がより好ましい。また、この角度βは９０度以下が好ましく、８５度以下がより好ましい。角度α及び角度βがかかる範囲に設定されると、ソール面３の形状がスイング軌道に沿いやすくなるからである。
【００３４】
本発明では、前述のように、ソール前方部分とソール後方部分とは、当該部分内の全ての点における曲率半径（主曲率の曲率半径の最小値）が１００ｍｍ以上の面とするが、好ましくは、この曲率半径（主曲率の曲率半径の最小値）は２００ｍｍ以上、更には３００ｍｍ以上とするのが好ましい。このようにすると、ソール前方部分及びソール後方部分がより平坦となり、ソール前方部分やソール後方部分を略平坦とした前記効果が更に高まるからである。
【図面の簡単な説明】
【００３５】
【図１】本発明の一実施形態におけるゴルフクラブヘッドをソール面側から見た底面図である。
【図２】本発明の一実施形態におけるゴルフクラブヘッドをフェース面側から見た正面図である。
【図３】本発明の一実施形態におけるゴルフクラブヘッドをトウ側から見た側面図である。
【図４】本発明の一実施形態におけるゴルフクラブヘッドの断面図である。
【符号の説明】
【００３６】
１      ウッド型ゴルフクラブヘッド
３      ソール面
１２    ソール前方部分
１３    ソール後方部分
Ｗ３    ソール前方部分のトウ・ヒール方向幅Ｗ３
Ｌａ    フェース長
Ｃ      フェース中心点
Ａ      角度Ａ
Ｂ      角度Ｂ
【図１】
2005168998.tif 000004
【図２】
2005168998.tif 000005
【図３】
2005168998.tif 000006
【図４】
2005168998.tif 000007